(57)【要約】【課題】手提げ鞄その他の手提げ式の携帯容器において、携行時に蓋体が開放されるのを確実に防止する簡単な構造の蓋ロック構造を実現する。【解決手段】容器本体１に軸着する提げ手３を提げ手本体４と、提げ手本体４に対して上下方向に移動するスライド部材５で構成する。提げ手本体４は、断面形状を上方が開放される略Ｕ字状とし、スライド部材５は提げ手本体４の開放部分を閉塞する天板部と、提げ手本体の摺動側面に沿って摺動する垂直方向のガイド板を備え、提げ手３を把持するとスライド部材５が下方向に移動した状態に保持される。スライド部材５の左右両側の下端部には外方に突出する係合凸部６を設けるとともに、蓋体２の側縁に閉蓋状態において提げ手本体４の支持軸の延長線上に進入する受座10を突出成型し、受座10に係合凹部７を形成する。これにより、提げ手を把持することによって、係合凸部６と係合凹部７が係合し、閉蓋状態が維持される。【選択図】  図１
2007282673.tif 000002
【特許請求の範囲】
【請求項１】
容器本体に対して開閉自在の蓋体を備え、容器本体の一部に提げ手を軸着した手提げ鞄などの携帯用容器において、
容器本体に軸着する提げ手を提げ手本体と、提げ手本体に対して上下方向に移動可能なスライド部材とで構成し、
スライド部材は、上方への移動位置において提げ手本体より上方に突出し把持することによって押し下げられるとともに、
蓋体とスライド部材のいずれか一方に係合凸部を、蓋体とスライド部材のいずれか他方に前記係合凸部が係合する係合凹部を形成し、提げ手を把持した携行状態においてスライド部材の係合凸部又は係合凹部と、蓋体に形成した係合凹部又は係合凸部の係合状態を維持することを特徴とする手提げ鞄などの携帯用容器における蓋ロック構造。
【請求項２】
容器本体及び蓋体を合成樹脂製とし、容器本体と蓋体を外周の一辺において軸支することによって蓋体を開閉自在とし、容器本体の側面に、容器本体と一体に突出成型した支持台に合成樹脂材で成型した提げ手本体を軸支するとともに、
閉蓋状態において提げ手本体の支持軸の延長線上に進入する受座を蓋体の側縁に突出成型し、該受座に係合凹部を、提げ手本体に対して上下方向に移動可能なスライド部材に、前記係合凹部に係合する係合凸部を設けたことを特徴とする請求項１記載の手提げ鞄などの携帯用容器における蓋ロック構造。
【請求項３】
合成樹脂材で成型する提げ手本体は、その断面形状を上方が開放される略Ｕ字状とするとともに、スライド部材は提げ手本体の前記開放部分を閉塞する天板部と、提げ手本体の摺動側面に沿って摺動する垂直方向のガイド板を備えたことを特徴とする請求項２記載の手提げ鞄などの携帯用容器における蓋ロック構造。
【請求項４】
蓋体の側縁の一部に、容器本体の一部に係脱自在の係止爪を突出形成したことを特徴とする請求項２又は３記載の手提げ鞄などの携帯用容器における蓋ロック構造。
【請求項５】
提げ手本体の側壁内面の複数位置に縦方向の凸条を設けスライド部材に前記凸条が遊嵌合する凹溝を形成するとともに、提げ手本体とスライド部材との間にスライド部材の上方への抜け止め手段と、スライド部材の上端移動位置と下端移動位置での係止手段を備えたことを特徴とする請求項２ないし４のいずれかに記載の手提げ鞄などの携帯用容器における蓋ロック構造。
【発明の詳細な説明】
【技術分野】
【０００１】
この発明は、手提げ鞄その他の手提げ式の携帯容器であって、本体と蓋体を開閉自在とした携帯容器において、携行時に蓋体が開放されるのを確実に防止する蓋ロック構造に関する発明である。
【背景技術】
【０００２】
手提げ鞄などの手提げ式の携帯容器では、容器本体と蓋体の間にロック装置を設け、携行中に蓋が開かない構造としている。容器本体と蓋体とのロック構造は、スライド式その他、提げ手とは別の係止手段を設けるのが一般的である。
容器本体と蓋体のロック構造を、提げ手に関連させたものとして、特許文献１ないし３が公知である。特許文献１には、鞄本体に倒立可能に枢着する提げ手の下端に逆Ｕ字状の切欠を設けるとともに蓋体に突起を設けておき、提げ手を寝かせた状態で蓋体を閉じ、提げ手を起立させたときに、提げ手の両端に形成した逆Ｕ字状切欠が蓋体の突起に係合し、蓋体を閉じた状態に維持する構造が開示されている。特許文献２には、特許文献１の構造に加え、蓋を閉じた状態で蓋体に設けた突起と提げ手との間に錠杆を設ける構造が開示されている。また、特許文献３には、提げ手を倒した状態で提げ手を横方向に移動させることによって施錠する構造が開示されている。
【特許文献１】実公平０４−４７３２６号公報
【特許文献２】実公平０４−４７３２７号公報
【特許文献３】実公平０４−４７３２８号公報
【発明の開示】
【発明が解決しようとする課題】
【０００３】
提げ手とは関連のないロック構造を備えた従来の鞄などの携帯用容器では、誤ってロックしない状態で提げた時に、蓋が開いて収容物を散乱させてしまう可能性があった。
特許文献１に開示される構造では、手提げ状態において蓋がロックされるものではあるが、枢着した提げ手が携行中に回動し、不用意にロックが解除されてしまう危険性がある。特許文献２に開示された構造では、上記欠点は解消されるが、携行に際して改めて施錠する必要がある。また、特許文献３に開示された構造では、施錠のために一々提げ手を寝かせ、寝かせた状態で提げ手を横方向に移動させなければならない不便がある。
【０００４】
本発明は、上記従来技術の欠点に鑑み、操作が簡単で、手提げの携行状態において容器本体と蓋のロック状態を確実に維持し、安心して携行することができる、手提げ鞄などの携帯用容器における蓋ロック構造を提供することを目的とする発明である。
【課題を解決するための手段】
【０００５】
上記目的を達成するために、本発明は、容器本体１に対して開閉自在の蓋体２を備え、容器本体１の一部に提げ手３を軸着した手提げ鞄などの携帯用容器において、容器本体１に軸着する提げ手３を、提げ手本体４と提げ手本体４に対して上下方向に移動可能なスライド部材５とで構成する。
スライド部材５は、上方への移動位置において提げ手本体４より上方に突出し把持することによって押し下げられるようにする。そして、蓋体２とスライド部材５のいずれか一方に係合凸部６を、蓋体２とスライド部材５のいずれか他方に係合凸部６が係合する係合凹部７を形成する。これにより、提げ手３を把持する携行状態においてスライド部材５の係合凸部６又は係合凹部と、蓋体２に形成した係合凹部７又は係合凸部の係合状態を確実に維持する。したがって、提げ手３を把持している限りにおいて、蓋体２が確実にロックされ、携行中は不用意に蓋体２が開く虞がない手提げ鞄などの携帯用容器における蓋ロック構造を実現する。
【０００６】
請求項２記載の発明は、上記請求項１記載の発明を実施する形態に係るもので、容器本体１及び蓋体２を合成樹脂製とし、容器本体１と蓋体２を外周の一辺(通常下辺)において両者を軸支することによって蓋体２を開閉自在とする。そして、容器本体１の側面(軸支位置と対向する上側面)に、容器本体１と一体に突出成型した支持台８に合成樹脂材で成型した提げ手本体４を軸支する。
一方、蓋体２には、閉蓋状態において提げ手本体４の支持軸９の延長線上に進入する受座10を蓋体２の側縁に突出成型し、この突出形成した受座10に係合凹部７を設ける。さらに、提げ手本体４に対して上下方向に移動可能なスライド部材５に、スライド部材５の下降位置において、係合凹部７に係合する係合凸部６を設ける。
【０００７】
請求項３記載の発明は、合成樹脂材で成型する提げ手本体４の断面形状を、上方が開放される略Ｕ字状とする。そして、スライド部材５は提げ手本体４の開放部分を閉塞する天板部5aと、提げ手本体４の摺動側面4aに沿って摺動する垂直方向のガイド板5bを備えるものである。
【０００８】
請求項４記載の発明は、蓋体２の側縁の一部に、容器本体１の一部に係脱自在の係止爪11を突出形成したこと、請求項５記載の発明は、提げ手本体４の側壁内面の複数位置に縦方向の凸条12を設けスライド部材５に凸条12が遊嵌合する凹溝13を形成すること。さらに提げ手本体４とスライド部材５の間に、スライド部材５の上方への抜け止め手段と、スライド部材５の上端移動位置と下端移動位置での係止手段を備えることである。
【発明の効果】
【０００９】
請求項１記載の発明によれば、容器本体１に対して開閉自在の蓋体２を備え、容器本体１の一部に提げ手３を軸着した手提げ鞄などの携帯用容器において、携行のために提げ手を把持している限り、容器本体１に対して蓋体２が閉じた状態を維持し、携行中に蓋体２が開いてしまう可能性がなく、安心して携行することができる。すなわち、本発明は提げ手３を把持する把持力、換言すれば握力によって蓋体２のロック状態が維持されるようにした点が本発明の最大の特徴である。
【００１０】
請求項２記載の発明によれば、請求項１記載の発明を実施する上において、容器本体１や蓋体２及び提げ手３を合成樹脂材で成型、請求項２記載の構成とすることによって比較的簡単な構造で容易に実施することができる。
【００１１】
請求項３記載の発明によれば、請求項２記載の発明を実施する上において使用する提げ手を簡単な構造で実施し、かつ把持状態において握り易い提げ手の断面形状とし、提げ手の把持力によって、スライド部材５が押し下げられるロック状態をより確実に維持する提げ手構造を実現することができる。
【００１２】
請求項４記載の発明によれば、提げ手３の操作に関係なく、係止爪11による比較的小さな力で閉蓋状態を維持することができる。したがって、携帯容器を起こして置いた状態で提げ手３のスライド部材５の操作を行うような場合に、蓋体２が開いてしまうことがなく安心して取り扱うことができる。
【００１３】
請求項５記載の発明によれば、提げ手本体４に対してスライド部材５を正確に、かつ円滑に上下方向に移動させることができるとともに、スライド部材５の上方の移動位置と下方の移動位置に係止させておくことにより、提げ手３を把持しない状態での携帯用容器の取扱い例えば蓋体２の開閉に際し、スライド部材５の盲動が邪魔になることがない。
【発明を実施するための最良の形態】
【００１４】
以下、本発明に係る手提げ鞄などの携帯用容器における蓋ロック構造の実施形態を、添付の図面に基づいて説明する。
図１は、本発明の実施形態を示す、携帯用容器の提げ手装着部分の分解斜視図、図２及び図３は、携帯用容器の上半部のみの正面図であって、図２はロック解除状態、図３はロック状態を示している。
【００１５】
携帯用容器の用途、具体的な形状、構造は特に限定されるものではないが、図示例の携帯用容器は提げ手を備えた合成樹脂製であって、身容器となる容器本体１と蓋体２で構成し、携帯用小物入れなどに利用することができる容器を示している。
容器本体１と蓋体２は、下位置となる一辺(図示していない)において軸支し、軸支位置と対向する辺の側面に提げ手３と蓋体２のロック構造を備えている。
【００１６】
提げ手３は、略門形の提げ手本体４と、提げ手本体４に嵌まり込み、上下方向に移動可能としたスライド部材５で構成し、提げ手本体４とスライド部材５は、それぞれ合成樹脂材で成型して両者を装着した状態で一つの提げ手が形成されるようにしている。具体的には、提げ手本体４の断面形状を上方が開放される略Ｕ字状とするとともに、スライド部材５は、提げ手本体４の上端開放部分を閉塞する略門形の天板部5aと、提げ手本体４の摺動側面4a、具体的には、提げ手本体の内側面に沿って摺動する垂直方向のガイド板5bを備えている。
【００１７】
スライド部材５のガイド板5bは、略門形に形成される天板部5aの底面の、左右両側縁部分に垂設した一対の長手方向の板状とし、提げ手本体４の内側面に形成した摺動側面4aに摺接する。ガイド板5bの中央部外側面には、指掛かりとなる凹所5cを形成している。内側面が摺動面となる、提げ手本体４の左右両側壁4b，4bの中央部(前記スライド部材の凹所5cと一致する位置)に上辺から略Ｕ字状の切欠部4c，4cを形成している。すなわち、スライド部材５を押し下げた状態で提げ手本体４の開放面が閉塞され、全体として把持し易い提げ手形状となり、左右両側面の中央部にスライド部材５を引き上げるための指掛け部が切欠部4cと凹所5cによって形成される。
【００１８】
提げ手本体４の側壁4b，4bの、内側面の長手方向の両側に、垂直方向の凸条12を形成している。一方、スライド部材５の左右両側には、前記凸条12が遊嵌合する凹溝13が形成してある。これにより、提げ手本体４とスライド部材５は、中央部分におけるガイド板5bと摺動側面4aの摺接及び左右両側における凸条12と凹溝13の嵌合の複数位置でのガイド手段によって案内されるため、スライド部材５は、正確かつ円滑に上下方向に移動させることができる。
スライド部材５の左右両端部には、図面上円柱状に形成した係合凸部６をそれぞれ外方に向けて突設している。
【００１９】
提げ手本体４は、容器本体１に軸着する。提げ手本体４を軸着するために、容器本体の側面に一対の支持台８，８を容器本体１と一体に成型してある。支持台８，８の間隔は、門形に形成する提げ手本体４の、左右の両端部の内接寸法よりもやや短い寸法とし、提げ手本体４の両端部内側面に内方に向けて支持軸９を突出させるとともに、支持台８に軸孔14を穿設し、軸孔14に支持軸９を嵌挿させることによって、容器本体１に提げ手本体４を軸支させている。
【００２０】
一方、蓋体２の側面には、二つの受座10，10と、一つの係止爪11を開口縁から容器本体に向けて突出する態様で、蓋体２と一体に成型してある。すなわち、受座10は、閉蓋状態において、提げ手本体４の支持軸９，９の延長線上に進入する大きさであって、その表面に係合凹部７を設けている。係合凹部７は、提げ手を立ててスライド部材５を押し下げた状態すなわち携行状態において、スライド部材５に形成した係合凸部６が遊動しない状態に係合する位置及び大きさとする。図示実施形態では、容器本体１の上部に、周方向に開口縁リブ15を形成しているが、受座10の進入位置の開口縁リブを切除し、受座の進入通路16を確保している。
【００２１】
受座10と10の中間位置には、係止爪11を突出させている。この係止爪11は、閉蓋状態において容器本体１の開口縁リブ15に係合し、閉蓋状態を維持するために機能する。しかしながら、係止爪11と開口縁リブ15の係合は、仮止め程度の係止状態を実現するものであって、係止爪11の指掛け部分11aに指を掛けることによって、容易に係脱させることができる。すなわち、施錠状態のように強固な係合を実現することを目的とする構造ではない。
【００２２】
以上述べた構造を備えた携帯用容器の使用状況の一例を説明する。
容器本体１内に物品を収納し、蓋体２を閉じて蓋体２の係止爪11を、容器本体１の開口縁リブ15に係止させた状態で、提げ手３が上位置となるように携帯用容器を起こす。このとき、提げ手３のスライド部材５は、図２に示すように提げ手本体４に対して上方に移動させておく。この状態で、図５に示すように提げ手３を握り、力を込めると、スライド部材５が矢印で示すように押し下げられ、図３に示すスライド部材５が押し下げられた状態となり、図６に示すようにスライド部材５が押し下げられた状態で提げ手３を提げることになる。
【００２３】
スライド部材５が、提げ手本体４に対して押し下げられた状態では、図３に示すようにスライド部材５に突出形成した係合凸部６が、蓋体２の受座10に形成した係合凹部７に嵌合するため、スライド部材５が上方に移動しない限り蓋体２を開くことができず、蓋体２の確実なロック状態が維持される。図示実施形態においては、係合凸部６を円柱状としている。係合凸部６を円柱状とすることによって、携行状態において提げ手を自由に回動させることができ、かつ確実な係合状態を維持する。
【００２４】
提げ手本体４に対してスライド部材が上方に移動すると、携帯用容器がどのような姿勢であっても、蓋体２のロック状態が解除され得るものであるが、本発明においては、携帯用容器を提げるための握る力が、提げ手本体に対してスライド部材５を押し下げる力として作用するため、提げ手３を持って携行している際には、蓋体２のロック状態が確実に維持されることになる。
【００２５】
スライド部材５は、提げ手本体４に対して上下方向に自由に移動させることができるものであるが、例えば携帯用容器を提げるための操作中や、提げ手から手を離した場合に、不用意にロックが解除されると取扱いに不便な場合が生じる。そこで、図示実施形態においては、スライド部材を引き上げた位置と、押し下げた位置において、軽い力で係止することができるクリック機構を備えている。
【００２６】
スライド部材５のクリック構造は、図７及び図９から理解されるように、提げ手本体４に縦方向のガイドリブ17を形成する一方、スライド部材５に、ガイドリブ17に係合する突起18を設け、突起18がガイドリブ17に沿って移動するとともに、ガイドリブ17の上位置と下位置の二箇所に、突起18が嵌まり込む凹所19，20を設けている。したがって、スライド部材５が引き上げられた上端位置において、突起18が上位置の凹所19に係合してその位置を維持し、スライド部材が押し下げられた下端位置において、突起18が下位置の凹所20に係合してその位置を維持する。クリック機構による係止力は、門形であるスライド部材５の弾性力によって実現することができるものであるため、スライド部材５を引き上げる力及び押し下げる力によって簡単に係合状態を外すことができる。
【００２７】
合成樹脂製品においては、突起と凹所の組み合わせによって仮止めするクリック機構が汎用されている。したがって、本発明においても任意位置におけるクリック機構を採用することができるが、図示実施形態の場合、縦方向のガイドリブ17と突起18の係合によってスライド部材のスムーズな移動を実現するとともに、ガイドリブ17の上端位置に抜け止め部21を形成することによって、スライド部材５の抜け止め構造としても機能するようにしている。
【００２８】
図１０は、提げ手本体４とスライド部材５の別の実施形態を示す縦断面図である。この実施形態は、スライド部材５のガイド板5bを、略門形に形成される天板部5aの中央部分において、天板部5aの左右両側縁から垂設し、提げ手本体４の外側面に形成した摺動側面4aに摺接するようにしている。ガイド板5bの内側面が摺接する提げ手本体４の摺動側面4aは、ガイド板5bの幅に相当する部分を一段低い平面的な垂直面とし、摺動側面4a以外の提げ手本体の側面と、ガイド板5aの外側面とが面一となるように形成している。すなわち、スライド部材５を押し下げた状態で提げ手本体４の開放面が閉塞され、全体として把持しやすい形状の提げ手となるようにしている。
【００２９】
本発明に係る携帯用容器における蓋ロック構造は、図示実施形態に限定されるものではなく、例えば蓋体に係合凸部を、提げ手のスライド部材に係合凹部を設けることによっても実施することもできる。また、提げ手本体とスライド部材の具体的なスライド構造も図示例以外に変更することが可能である。要は、提げ手を握ることによって相対的に提げ手本体とスライド部材が引き寄せられる結果スライド部材が押し下げられて、スライド部材の一部と閉蓋状態の蓋体の一部が係合してロックされるものであればよい。
【図面の簡単な説明】
【００３０】
【図１】図１は、本発明の実施形態を示す携帯用容器の提げ手部分の分解斜視図
【図２】図２は、蓋体がロックされていない状態の携帯用容器の上半部のみの正面図、
【図３】図３は、蓋体がロックされた状態の携帯用容器の上半部のみの正面図、
【図４】図４は、携帯用容器の提げ手部分の平面図、
【図５】図５は、蓋体がロックされていない、携行前の状態を示す携帯用容器の上半部のみの縦断面図、
【図６】図６は、蓋体がロックされた、携行状態を示す携帯用容器の上半部のみの縦断面図、
【図７】図７は、長手方向に切断した提げ手の一部分の縦断面図
【図８】図８は、図７のVIII―VIII線断面図、
【図９】図９は、図７のIX―IX線断面図、
【図１０】図10は、別の実施形態を示す提げ手を示す携帯用容器の上半部のみの縦断面図である。
【符号の説明】
【００３１】
１…容器本体、  ２…蓋体、  ３…提げ手、  ４…提げ手本体、  4a…摺動側面、  4b…側壁、  4c…切欠部、  ５…スライド部材、  5a…天板部、  5b…ガイド板、  5c６…係合凸部、  ７…係合凹部、  ８…支持台、  ９…支持軸、  10…受座、  11…係止爪、  11a…指掛け部、  12…凸条、  13…凹溝、  14…軸孔、  15…開口縁リブ、  16…受座通路、  17…ガイドリブ、  18…突起、  19，20…凹所、  21…抜け止め部。
【図１】
2007282673.tif 000003
【図２】
2007282673.tif 000004
【図３】
2007282673.tif 000005
【図４】
2007282673.tif 000006
【図５】
2007282673.tif 000007
【図６】
2007282673.tif 000008
【図７】
2007282673.tif 000009
【図８】
2007282673.tif 000010
【図９】
2007282673.tif 000011
【図１０】
2007282673.tif 000012